(57)【要約】【課題】バッテリーセルで発生する電流によって生成される電磁波からＢＭＳを保護し、ＢＭＳの電圧センシングエラーを防止するようにしたＢＭＳ電磁波保護用カバーを提供する。【解決手段】複数個のバッテリーセルからなるバッテリーと、前記バッテリーの充・放電を統制するパワーリレイアセンブリーと、前記バッテリーセルと電圧センシングワイヤーを媒介として連結設置されバッテリーＳＯＣを予測するバッテリー管理システムを含むバッテリーシステムにおいて、前記バッテリーとパワーリレイアセンブリーを内部に収容して保護するケースをさらに設置し、そのケースの外部一側にバッテリー管理システムが設置され、前記バッテリー管理システムとバッテリーが互いに異なる空間に位置することを特徴とする。【選択図】図２
2013093303.tif 000002
【特許請求の範囲】
【請求項１】
複数個のバッテリーセルからなるバッテリーと、前記バッテリーの充・放電を統制するパワーリレイアセンブリーと、前記バッテリーセルと電圧センシングワイヤーを媒介として連結設置されバッテリーＳＯＣを予測するバッテリー管理システムを含んでなるバッテリーシステムにおいて、
前記バッテリーとパワーリレイアセンブリーを内部に収容して保護するケースをさらに設置し、そのケースの外部一側にバッテリー管理システムが設置され、前記バッテリー管理システムとバッテリーが互いに異なる空間に位置するようにしたことを特徴とするバッテリー管理システム用電磁波遮断のためのバッテリーシステム。
【請求項２】
前記バッテリー管理システムが設置されるケースの外部一側には、前記バッテリー管理システムを安着固定させるＢＭＳ安着溝が形成されたことを特徴とする請求項１に記載のバッテリー管理システム用電磁波遮断のためのバッテリーシステム。
【請求項３】
前記ＢＭＳ安着溝は、前記バッテリー管理システムが安着された場合にそのバッテリー管理システムが前記ケースの表面から突出しないように形成されたことを特徴とする請求項２に記載のバッテリー管理システム用電磁波遮断のためのバッテリーシステム。
【請求項４】
前記ＢＭＳ安着溝には、前記電圧センシングワイヤーが貫通するワイヤホールが形成されたことを特徴とする請求項２に記載のバッテリー管理システム用電磁波遮断のためのバッテリーシステム。
【請求項５】
前記ワイヤホールは、前記ＢＭＳ安着溝の側面に形成されたことを特徴とする請求項４に記載のバッテリー管理システム用電磁波遮断のためのバッテリーシステム。
【請求項６】
前記ＢＭＳ安着溝には、前記電圧センシングワイヤーが貫通するワイヤホールが形成されたことを特徴とする請求項３に記載のバッテリー管理システム用電磁波遮断のためのバッテリーシステム。
【請求項７】
前記ワイヤホールは、前記ＢＭＳ安着溝の側面に形成されたことを特徴とする請求項６に記載のバッテリー管理システム用電磁波遮断のためのバッテリーシステム。
【発明の詳細な説明】
【技術分野】
【０００１】
本発明は、バッテリー管理システム用電磁波遮断のためのバッテリーシステムに係り、より詳しくは、バッテリーセルで発生する電流によって生成される電磁波からバッテリー管理システムを保護し、電磁波によるバッテリー管理システムの電圧センシングエラーを防止するようにしたバッテリー管理システム用電磁波遮断のためのバッテリーシステムに関する。
【背景技術】
【０００２】
一般的にハイブリッドカー（ＨＥＶ）、プラグインハイブリッドカー（ＰＨＥＶ）、電気自動車（ＥＶ）などの車両で使用されるバッテリーシステムは、走行中に高電流を使用するため、高電圧バッテリーは車両の品質を決定する主要な部品の中の一つであり、この高電圧バッテリーを含むバッテリーシステムの制御技術は重要核心技術であるといえる。
【０００３】
このようなバッテリーシステムで、バッテリー管理システム（Ｂａｔｔｅｒｙ  Ｍａｎａｇｅｍｅｎｔ  Ｓｙｓｔｅｍ；  ＢＭＳ）は、バッテリーについての諸般的な状態を統括して管理しながら制御する一種の制御手段であり、それぞれのバッテリーセルの電圧を測定してハイブリッド車両の統合制御を行う車両の主制御器（ＨＣＵ）にバッテリーのＳＯＣ（ｓｔａｔｅ  ｏｆ  ｃｈａｒｇｅ）情報を知らせることにより、発電制御と走行制御を支援する役割をする。
【０００４】
前記バッテリーＳＯＣとは、バッテリーの可用最大容量に対する現在保有ｃ量の百分率で示したものであり、前記バッテリーの残存容量は、電流がバッテリーに充電及び放電される間バッテリーに残っている電気量（使用可能な放電量）をいう。
【０００５】
図１に図示したように、従来のバッテリーシステムは外装カバー（１００）の内部にバッテリーセル（２００）、ＰＲＡ（３００）、ＢＭＳ（４００）などを含んでいる。
【０００６】
このため、バッテリーセル（２００）の高電流によって発生する電磁波の影響を受けてＢＭＳ（４００）の電圧センシングエラーが発生する問題点があった。（例えば特許文献１参照）
【０００７】
特に、ＥＶ車の走行中に電圧センシングエラーが発生する場合には、走行が不可能な状況が発生する問題があった。
【先行技術文献】
【特許文献】
【０００８】
【特許文献１】特開２０１１−２３３３２０号公報
【発明の概要】
【発明が解決しようとする課題】
【０００９】
本発明は前記のような点に鑑みてなされたものであって、本発明の目的は、バッテリーセルとバッテリー管理システム間の遮蔽構造を形成し、バッテリーセルから発生する電磁波からバッテリー管理システムを保護することにより、バッテリー管理システムの電圧センシングエラーを防止するようにしたバッテリー管理システム用電磁波遮断のためのバッテリーシステムを提供することにある。
【課題を解決するための手段】
【００１０】
前記のような目的を達成するための本発明によるバッテリー管理システム用電磁波遮断のためのバッテリーシステムの構成は、複数個のバッテリーセルからなるバッテリーと、前記バッテリーの充・放電を統制するパワーリレイアセンブリーと、前記バッテリーセルと電圧センシングワイヤーを媒介として連結設置されてバッテリーＳＯＣを予測するバッテリー管理システムを含んでなるバッテリーシステムにおいて、前記バッテリーとパワーリレイアセンブリーを内部に収容して保護するケースをさらに設置し、そのケースの外部一側にバッテリー管理システムが設置され、前記バッテリー管理システムとバッテリーが互いに異なる空間に位置されることを特徴とする。
【００１１】
前記バッテリー管理システムが設置されるケースの外部一側には、前記バッテリー管理システムを安着固定させるＢＭＳ安着溝が形成されることを特徴とする。
【００１２】
前記ＢＭＳ安着溝は、前記バッテリー管理システムが安着した場合に、そのバッテリー管理システムが前記ケースの表面から突出しないように形成されることを特徴とする。
【００１３】
前記ＢＭＳ安着溝には、前記電圧センシングワイヤーが貫通するワイヤホールが形成され、前記ワイヤホールは、前記ＢＭＳ安着溝の側面に形成されることを特徴とする。
【発明の効果】
【００１４】
前記のように構成された本発明によれば、バッテリーセルの高電流によって発生する電磁波からバッテリー管理システムを保護することにより、バッテリー管理システムの電圧センシングエラーを防止できる長所がある。
【図面の簡単な説明】
【００１５】
【図１】従来のバッテリーシステム断面図。
【図２】本発明のバッテリー管理システム用電磁波遮断のためのバッテリーシステムを示す斜視図。
【図３】本発明のバッテリー管理システム用電磁波遮断のためのバッテリーシステムを示す断面図。
【発明を実施するための形態】
【００１６】
以下、添付した図面を参照して、本発明のバッテリー管理システム用電磁波遮断のためのバッテリーシステムを具体的に説明する。
【００１７】
本発明のバッテリー管理システム用電磁波遮断のためのバッテリーシステムは、バッテリーセルで発生する電流によって生成される電磁波からＢＭＳを保護し、電磁波によるＢＭＳの電圧センシングエラーを防止するようにしたもので、図２及び図３に示したように、複数個のバッテリーセル（１５）からなるバッテリー（１０）と、前記バッテリー（１０）の充・放電を統制するパワーリレイアセンブリー（２０）と、前記バッテリーセル（１５）と電圧センシングワイヤー（５０）を媒介として連結設置されバッテリーＳＯＣを予測するバッテリー管理システム（４０）を含んでなるバッテリーシステムにおいて、前記バッテリー（１０）とパワーリレイアセンブリー（２０）を内部に収容して保護するケース（３０）をさらに設置し、そのケース（３０）の外部一側にバッテリー管理システム（４０）が設置され、前記バッテリー管理システム（４０）とバッテリー（１０）が互いに異なる空間に位置するようにしたものである。
【００１８】
まず、前記バッテリー（１０）は、複数個のバッテリーセル（１５）からなる。
【００１９】
言い換えると、充・放電が可能な複数個のセル（１５）を一つのパック（ｐａｃｋ）に形成して車両の主動力源として利用する。
【００２０】
また、前記パワーリレイアセンブリー（２０）は、前記バッテリー（１０）に対する充・放電の統制のために設置されるものであり、前記バッテリー（１０）の陽極側に連結される第１メインリレイ（未図示）と、陰極側に連結される第２メインリレイ（未図示）から構成され、該第１、２メインリレイは、後述するバッテリー管理システム（４０）によってオン・オフ制御される。
【００２１】
言い換えると、前記バッテリー（１０）の温度を判断し、後述するバッテリー管理システム（４０）をして前記第１、２メインリレイを励磁させ、バッテリー（１０）の充電または放電がなされるようにする。
【００２２】
そして、前記バッテリー管理システム（４０）は、前記バッテリーセル（１５）と電圧センシングワイヤー（５０）を媒介として連結設置され、前記電圧センシングワイヤー（５０）を媒介としてバッテリー（１０）の電圧を測定し、バッテリーＳＯＣ及び最大使用することができる充電パワー（Ｐｉｎ）及び放電パワー（Ｐｏｕｔ）などを計算して、別途の車両制御ユニットに送信するものである。
【００２３】
また、前記バッテリー（１０）とパワーリレイアセンブリー（２０）を内部に収容して保護するケース（３０）をさらに設置する。
【００２４】
言い換えると、前記ケース（３０）は、前記バッテリー（１０）とパワーリレイアセンブリー（２０）を外部の衝撃及び振動から保護するように設置されるもので、前記ケース（３０）の内部にそれぞれのバッテリーセル（１５）を保護するようにするセルカバー（未図示）がさらに設置されることも可能である。
【００２５】
この時、前記ケース（３０）の外部一側にバッテリー管理システム（４０）が設置され、前記バッテリー管理システム（４０）とバッテリー（１０）が互いに異なる空間に位置するようにする。
【００２６】
言い換えると、前記バッテリー管理システム（４０）が前記バッテリー（１０）から発生する電流による電磁波の影響を受けないようにするため、前記ケース（３０）の外部一側に前記バッテリー管理システム（４０）を設置する。
【００２７】
すなわち、前記ケース（３０）は、前記バッテリー（１０）とパワーリレイアセンブリー（２０）を外部の衝撃及び振動から保護すると同時に、前記バッテリー（１０）による電磁波から前記バッテリー管理システム（４０）を遮蔽するよう設置される。
【００２８】
また、前記バッテリー管理システム（４０）が設置されるケース（３０）の外部一側には、前記バッテリー管理システム（４０）を安着固定させるＢＭＳ安着溝（３５）が形成され、該ＢＭＳ安着溝（３５）は、前記バッテリー管理システム（４０）が安着された場合にそのバッテリー管理システム（４０）が前記ケース（３０）の表面から突出しないように形成される。
【００２９】
言い換えると、前記ケース（３０）の外部一側に前記バッテリー管理システム（４０）が安着固定されるＢＭＳ安着溝（３５）が形成され、該ＢＭＳ安着溝（３５）は、前記ケース（３０）から突出しないようにして、前記バッテリー管理システム（４０）が毀損することを防止する。
【００３０】
ここで、前記ＢＭＳ安着溝（３５）には、前記電圧センシングワイヤー（５０）が貫通するワイヤホール（３６）が形成されていることが望ましい。
【００３１】
すなわち、前記ＢＭＳ安着溝（３５）の一側に前記ワイヤホール（３６）を形成し、電圧センシングワイヤー（５０）が貫通してそれぞれのバッテリーセル（１５）と連結されるようにしたものである。
【００３２】
この時、図２または図３に図示したように、前記ワイヤホール（３６）は前記ＢＭＳ安着溝（３５）の側面に形成されるようにし、前記バッテリー管理システム（４０）が前記ワイヤホール（３６）を通じて電磁波に露出されることを防ぐ。
【００３３】
本発明のバッテリー管理システム用電磁波遮断のためのバッテリーシステムをもう一度詳察すれば、複数個のバッテリーセル（１５）からなるバッテリー（１０）とパワーリレイアセンブリー（２０）を外部衝撃などから保護すると同時に、外部一側にバッテリー管理システム（４０）が位置するように形成されたケース（３０）を設置し、前記バッテリーセル（１５）の高電流によって発生する電磁波からバッテリー管理システム（４０）を保護するようにして、バッテリー管理システム（４０）の電圧センシングエラーを防止するようにしたものである。
【００３４】
以上、本発明によるバッテリー管理システム用電磁波遮断のためのバッテリーシステムを具体的な実施例及び添付した図面を参照して説明したが、これは本発明が属する技術分野で通常の知識を有する者が発明を容易に実施することができる程度に詳細に説明したものであって、これにより本発明の技術的な思想及び範疇が限定されることを意味しない。
【産業上の利用可能性】
【００３５】
本発明は、バッテリーシステムの電磁波遮断の分野に適用できる。
【符号の説明】
【００３６】
１０  バッテリー
１５  バッテリーセル
２０  パワーリレイアセンブリー
３０  ケース
３５  ＢＭＳ安着溝
３６  ワイヤホール
４０  バッテリー管理システム
５０  電圧センシングワイヤー
【図１】
2013093303.tif 000003
【図２】
2013093303.tif 000004
【図３】
2013093303.tif 000005